(57)【要約】【課題】  製造コストの増大や操作の煩雑化を避けつつ制御信号の送受信の成功率を向上することができる照明装置を提供する。【解決手段】  制御信号Ｓ１，Ｓ２を複数の周波数チャンネルのいずれかの電波を媒体として送信するリモコン装置と、送信部が制御信号Ｓ１，Ｓ２を送信する複数の周波数チャンネルのいずれかの電波を択一的に受信するとともに受信された制御信号に応じて光源を制御する照明器具とからなる。リモコン装置は、同一の制御信号Ｓ１，Ｓ２を複数回、うち少なくとも１回は周波数チャンネルを変更して送信する。照明器具は、制御信号Ｓ１，Ｓ２が受信されていないときは、受信する周波数チャンネルを定期的に変更する。１個の周波数チャンネルがノイズで使用できないときにも他の周波数チャンネルが使用できる可能性があるから、制御信号Ｓ１，Ｓ２の送受信の成功率を向上することができる。【選択図】図１
2006278060.tif 000002
【特許請求の範囲】
【請求項１】
制御信号を複数の周波数チャンネルのいずれかの電波を媒体として送信する送信部と、所定の条件でトリガ信号を出力するトリガ部と、トリガ部によってトリガ信号が出力されたときに所定の制御信号を送信させるように送信部を制御するリモコン制御部とを有するリモコン装置と、
送信部が制御信号を送信する複数の周波数チャンネルのいずれかの電波を択一的に受信する受信部と、光源を点灯させる点灯部と、受信部に受信された制御信号に応じて点灯部を制御する照明制御部と、受信部と点灯部と照明制御部とを保持する器具本体とを有する照明器具とからなる照明装置であって、
制御信号は、一定のデータ長を有し制御信号であることを示すヘッダ部と、一定のデータ長を有し照明制御部が行うべき制御の内容を示すデータ部とからなり、
リモコン装置のリモコン制御部は、トリガ部からトリガ信号が出力される度に、同一の制御信号を複数回、うち少なくとも１回は周波数チャンネルを変更して送信部に送信させ、
照明器具の照明制御部は、制御信号が受信部に受信されていないときは、受信部が受信する周波数チャンネルを定期的に変更し、受信部に制御信号のヘッダ部が受信されると、少なくとも該制御信号のデータ部の受信が完了するまで、受信部が受信する周波数チャンネルを維持することを特徴とする照明装置。
【請求項２】
照明器具は、いずれの周波数チャンネルで制御信号が最も多く受信されたかを使用者に報知する報知部を有し、
リモコン装置は、複数回送信する制御信号の周波数チャンネル構成が使用者によって設定される信号設定部を有し、リモコン制御部は、信号設定部に設定された周波数チャンネル構成で制御信号が送信されるように送信部を制御することを特徴とする請求項１記載の照明装置。
【発明の詳細な説明】
【技術分野】
【０００１】
本発明は、電波を媒体として送受信される制御信号により光源が制御される照明装置に関するものである。
【背景技術】
【０００２】
従来から、例えば人体を検知する人感センサを備え人感センサによって人体が検知されたときに電波を媒体として制御信号を送信するリモコン装置と、リモコン装置から送信された制御信号に基いて光源を制御する照明制御部を有する照明器具とからなる照明装置が提供されている（例えば、特許文献１参照）。
【０００３】
この種の照明装置において、環境ノイズの影響を抑えて制御信号の送受信の成功率を向上する方法としては、以下の３通りの方法が考えられる。
【０００４】
第１の方法は、周波数チャンネルが互いに異なる２系統の送信部及び受信部を設け、受信側装置においては制御信号をより良好に受信できている一方の受信部を選択して用いる方法（いわゆるダイバシティ方式）である。この方法によれば、一方の周波数チャンネルにノイズが混入しても他方の周波数チャンネルによって送受信が成功する可能性があるから、送受信の成功率が向上する。
【０００５】
第２の方法は、制御信号が受信されたときに電波を媒体とした確認信号を送信する確認信号送信部を受信側装置に設けるとともに、確認信号を受信する確認信号受信部を送信側装置に設け、送信側装置においては確認信号が受信されるまでは制御信号の送信を繰り返す方法である。この方法によれば、制御信号の送信が成功しなければ制御信号を再度送信することになるから、送受信の成功率が向上する。
【０００６】
第３の方法は、使用者によって周波数チャンネルが設定される設定部を送信側装置と受信側装置とにそれぞれ設けるとともに、送信部及び受信部はそれぞれ複数の周波数チャンネルのうちから設定部に設定された周波数チャンネルを用いるようにするという方法である。この方法によれば、電波状況に応じて使用者が周波数チャンネルを適宜設定することにより、送受信の成功率が向上する。
【特許文献１】特開２００３−２１７８６９号公報
【発明の開示】
【発明が解決しようとする課題】
【０００７】
しかし、第１の方法では、送信部及び受信部をそれぞれ２系統設ける必要があるため、製造コストが増大してしまう。
【０００８】
また、第２の方法では、確認信号送信部及び確認信号受信部を設ける必要があるため、製造コストが増大してしまう。
【０００９】
さらに、第３の方法では、使用者にとって、どの周波数チャンネルを設定すればよいかが分かりにくい上に、周波数チャンネルを設定する操作が必要となるから煩わしい。
【００１０】
本発明は上記事由に鑑みて為されたものであり、その目的は、製造コストの増大や操作の煩雑化を避けつつ制御信号の送受信の成功率を向上することができる照明装置を提供することにある。
【課題を解決するための手段】
【００１１】
請求項１の発明は、制御信号を複数の周波数チャンネルのいずれかの電波を媒体として送信する送信部と、所定の条件でトリガ信号を出力するトリガ部と、トリガ部によってトリガ信号が出力されたときに所定の制御信号を送信させるように送信部を制御するリモコン制御部とを有するリモコン装置と、送信部が制御信号を送信する複数の周波数チャンネルのいずれかの電波を択一的に受信する受信部と、光源を点灯させる点灯部と、受信部に受信された制御信号に応じて点灯部を制御する照明制御部と、受信部と点灯部と照明制御部とを保持する器具本体とを有する照明器具とからなる照明装置であって、制御信号は、一定のデータ長を有し制御信号であることを示すヘッダ部と、一定のデータ長を有し照明制御部が行うべき制御の内容を示すデータ部とからなり、リモコン装置のリモコン制御部は、トリガ部からトリガ信号が出力される度に、同一の制御信号を複数回、うち少なくとも１回は周波数チャンネルを変更して送信部に送信させ、照明器具の照明制御部は、制御信号が受信部に受信されていないときは、受信部が受信する周波数チャンネルを定期的に変更し、受信部に制御信号のヘッダ部が受信されると、少なくとも該制御信号のデータ部の受信が完了するまで、受信部が受信する周波数チャンネルを維持することを特徴とする。
【００１２】
この発明によれば、１個の周波数チャンネルがノイズで使用できないときにも他の周波数チャンネルが使用できる可能性があるから、制御信号の送受信の成功率を向上することができる。また、送信部や受信部を増設する必要がないから製造コストの増大が抑えられ、操作が煩雑化することもない。
【００１３】
請求項２の発明は、請求項１の発明において、照明器具は、いずれの周波数チャンネルで制御信号が最も多く受信されたかを使用者に報知する報知部を有し、リモコン装置は、複数回送信する制御信号の周波数チャンネル構成が使用者によって設定される信号設定部を有し、リモコン制御部は、信号設定部に設定された周波数チャンネル構成で制御信号が送信されるように送信部を制御することを特徴とする。
【００１４】
この発明によれば、報知部によって報知された送受信の成功率の高い周波数チャンネルが優先的に使用されるように使用者がリモコン装置に設定することにより、制御信号の送受信をより短時間で成功しやすくすることや、制御信号の送受信の成功率を更に向上することができる。
【発明の効果】
【００１５】
リモコン装置は、同一の制御信号を複数回、うち少なくとも１回は周波数チャンネルを変更して送信し、照明器具は、制御信号が受信されていないときは、受信する周波数チャンネルを定期的に変更するので、１個の周波数チャンネルがノイズで使用できないときにも他の周波数チャンネルが使用できる可能性があるから、制御信号の送受信の成功率を向上することができる。また、送信部や受信部を増設する必要がないから製造コストの増大が抑えられ、操作が煩雑化することもない。
【発明を実施するための最良の形態】
【００１６】
以下、本発明を実施するための最良の形態について、図面を参照しながら説明する。
【００１７】
（実施形態１）
本実施形態は、図２に示すように、人体Ｍを検知したときに制御信号Ｓ１，Ｓ２（図１参照）を例えば微弱無線の電波を媒体として送信するリモコン装置１と、天井面（図示せず）に取り付けられる器具本体２０と光源としてのランプ（図示せず）とを備え制御信号を受信したときにランプを点灯させる照明器具２とからなる。
【００１８】
図３に示すように、リモコン装置１は、複数の周波数チャンネルのいずれかの電波を択一的に送信する送信部１１と、例えば人体Ｍから放射される熱線を検知する焦電センサを有し人体Ｍが検知されたときに所定の検知信号（トリガ信号）を出力するトリガ手段としての人感センサ部１２と、人感センサ部１２によって検知信号が出力されたときに送信部１１を制御して所定の制御信号Ｓ１，Ｓ２を送信させる制御部１３とを備える。送信部１１、人感センサ部１２、及び制御部１３はそれぞれ周知の技術で実現可能であるので詳細な説明は省略する。
【００１９】
また、照明器具２は、リモコン装置１の送信部１１が制御信号Ｓ１，Ｓ２を送信する複数の周波数チャンネルのいずれかの電波を択一的に受信する受信部２１と、ランプが接続されるソケットを有しソケットを介してランプに給電して点灯させる点灯部２２と、受信部２１に制御信号Ｓ１，Ｓ２が受信されたときに点灯部２２を制御してランプを点灯させる照明制御部２３とを備える。受信部２１、点灯部２２、照明制御部２３はそれぞれ周知の技術で実現可能であるので詳細な説明は省略する。
【００２０】
本実施形態の動作を説明する。リモコン装置１では、人感センサ部１２に人体Ｍが検知されると、人感センサ部１２から制御部１３に検知信号が入力される。制御部１３は、検知信号が入力されると、送信部１１を制御し、図１（ａ）（ｂ）に示すように、制御信号Ｓ１を第１の周波数チャンネルＦ１で１回送信させた後、周波数チャンネルを第２の周波数チャンネルＦ２に変更して同じ内容の制御信号Ｓ２を再度送信させる。制御部１３は、周波数チャンネルを変更した後、制御信号Ｓ１，Ｓ２を送信させる前には、少なくとも送信部１１の出力が安定するために必要な時間（例えば５０ｍｓ）は待機する。ここで、各制御信号Ｓ１，Ｓ２はそれぞれ２４００ｂｐｓの信号であり、図４に示すように制御信号Ｓ１，Ｓ２であることを示す２０ビットの識別データを含むデータ長１９２ｍｓのヘッダ部Ｓ１ａ，Ｓ１ｂと、照明制御部２３が行うべき制御の内容を示す２０ビットの制御データを含むデータ長１９２ｍｓのデータ部Ｓ１ａ，Ｓ１ｂとからなる、信号長３８４ｍｓの信号である。
【００２１】
照明器具２の照明制御部２３は、受信部２１に制御信号Ｓ１，Ｓ２が受信されていないときには、受信部２１が受信する周波数チャンネルを定期的に（例えば１００ｍｓおきに）第１の周波数チャンネルＦ１と第２の周波数チャンネルＦ２とに交互に変更する。
【００２２】
そして、図１（ａ）に示すように、第１の周波数チャンネルＦ１で制御信号Ｓ１のヘッダ部Ｓ１ａが受信されると、データ部Ｓ１ｂの受信が完了するまでは受信部２１が受信する周波数チャンネルを第１の周波数チャンネルＦ１に固定する。ここで、ヘッダ部Ｓ１ａの受信が開始されてから識別データが認識されるまでには例えば４０ｍｓ程度かかる。データ部Ｓ１ｂの受信が完了した後は、データ部Ｓ１ｂに含まれる制御データの内容に従ってランプを点灯させる。また、第２の周波数チャンネルＦ２で続けて同じ制御信号Ｓ２が受信されないように、送信部１１における制御信号Ｓ１，Ｓ２の送信間隔０．０５ｓと制御信号Ｓ２のデータ長３８４ｍｓとの合計の時間よりも長い時間（例えば４５０ｍｓ）にわたり、受信部２１による電波の受信を停止する。
【００２３】
また、図１（ｂ）に示すように、環境ノイズにより第１の周波数チャンネルＦ１で制御信号が受信されず第２の周波数チャンネルＦ２で制御データＳ２のヘッダ部Ｓ２ａが受信された場合、データ部Ｓ２ｂの受信が完了するまでは受信部２１が受信する周波数チャンネルを第２の周波数チャンネルＦ２に固定する。データ部Ｓ２ｂの受信が完了した後は、データ部Ｓ２ｂに含まれる制御データの内容に従ってランプを点灯させる。
【００２４】
上記構成によれば、１個の周波数チャンネルがノイズで使用できないときにも他の周波数チャンネルが使用できる可能性があるから、制御信号Ｓ１，Ｓ２の送受信の成功率を向上することができる。また、送信部１１や受信部２１を増設する必要がないから製造コストの増大が抑えられ、操作が煩雑化することもない。
【００２５】
なお、周波数チャンネルは２個に限られず、図５に示すように３個の周波数チャンネルを用いてもよい。図５の例では、第１及び第２の周波数チャンネルＦ１，Ｆ２では制御信号Ｓ１，Ｓ２が受信されず、第３の周波数チャンネルＦ３で続けて送信された制御信号Ｓ３のヘッダ部Ｓ３ａ及びデータ部Ｓ３ｂが受信されている。また、照明制御部２３は、受信部２１に制御信号Ｓ１〜Ｓ３が受信されていないときには、受信部２１が受信する周波数チャンネルを、第１の周波数チャンネルＦ１→第２の周波数チャンネルＦ２→第３の周波数チャンネルＦ３→第１の周波数チャンネルＦ１…と、順に切り換える。この場合、周波数チャンネルを切り換える間隔は例えばヘッダ部Ｓ１ｂ，Ｓ２ｂ，Ｓ３ｂのデータ長１９２ｍｓの３分の１の６４ｍｓとする。このように、用いる周波数チャンネルの数を増加させれば、制御信号Ｓ１，Ｓ２の送受信の成功率をより向上することができる。
【００２６】
（実施形態２）
本実施形態の基本構成は実施形態１と共通であるので、共通する部分については同じ符号を付して図示及び説明を省略する。
【００２７】
本実施形態は、使用者Ｕ（図７参照）がリモコン装置１を操作することにより、制御信号Ｓ１，Ｓ２の送受信の成功率がいずれの周波数チャンネルで高いのかを調べることや、リモコン装置１が優先的に用いる周波数チャンネルを任意に設定することを可能としたものである。
【００２８】
図６を用いて具体的に説明すると、リモコン装置１は、使用者Ｕによって操作される操作部１４と、発光ダイオードを有しリモコン制御部１３に制御されて発光ダイオードを点灯させることにより後述する通信テストの完了を表示する表示部１５とを備える。操作部１４は、制御信号Ｓ１，Ｓ２の送受信の成功率がいずれの周波数チャンネルで高いのかを調べる通信テストを開始させるテスト開始釦（図示せず）と、通信テストの結果を報知させる報知要求釦（図示せず）と、リモコン装置１から送信する制御信号Ｓ１，Ｓ２の周波数チャンネル構成が使用者Ｕによって設定される信号設定部としての設定釦（図示せず）とを有する。
【００２９】
また、照明装置２は、ブザーを有し照明制御部２３に制御されてブザーを鳴動させることにより通信テストの結果を報知する報知部２４を備える。
【００３０】
本実施形態の動作を説明する。図７（ａ）に示すように、使用者Ｕによりリモコン装置１の操作部１４のテスト開始釦が操作されると、リモコン制御部１３は送信部１１を制御し所定のテスト開始信号を制御信号Ｓ１〜Ｓ３と同様に電波を媒体として送信させる。その後、リモコン制御部１３は、図７（ｂ）に示すように、所定のテスト時間（例えば２４時間）が経過するまで、送信部１１を制御して１回毎に周波数チャンネルを切り換えながら所定のテスト信号を例えば１５分おきに繰り返し送信する。テスト信号の送信間隔及びテスト時間は、全ての周波数チャンネルで同じ回数ずつテスト信号が送信されるように決定されている。テスト信号は、例えばそれぞれ制御信号Ｓ１〜Ｓ３のヘッダ部Ｓ１ａ〜Ｓ３ａ及びデータ部Ｓ１ｂ〜Ｓ３ｂと共通のデータ長を有するヘッダ部及びデータ部からなる。所定時間が経過すると、図７（ｃ）に示すように、リモコン制御部１３は、表示部１５を制御して発光ダイオードを点灯させることにより、通信テストの完了を表示する。
【００３１】
照明器具２の照明制御部２３は、受信部２１にテスト開始信号が受信されると報知部２４を制御してブザーを鳴動させ、通信テストの開始を報知する。その後、後述する報知要求信号が受信されるまでは、点灯部２２の制御や受信部２１の停止を行わず、周波数チャンネル毎にテスト信号が受信された回数を計数する。
【００３２】
使用者Ｕは、表示部１５の発光ダイオードの点灯を見て通信テストの完了を知り、図７（ｄ）に示すように操作部１４の報知要求釦を操作する。リモコン制御部１３は、報知要求釦が操作されると、送信部１１を制御して所定の報知要求信号を制御信号Ｓ１〜Ｓ３と同様に電波を媒体として送信させる。照明装置１では、照明制御部２３は、受信部２１に報知要求信号が受信されると、周波数チャンネル間でテスト信号が受信された回数を比較するとともに、報知部２４を制御してブザーを鳴動させる。このとき、テスト信号が受信された回数が最も多かった周波数チャンネルがいずれの周波数チャンネルであったかに応じて異なる音を出すようにブザーを鳴動させる。例えば、使用される周波数チャンネルが２個である場合、第１の周波数チャンネルで最も多くテスト信号が受信されたときにはブザーを短く１回鳴らし、第２の周波数チャンネルで最も多くテスト信号が受信されたときにはブザーを短く２回鳴らし、第１の周波数チャンネルと第２の周波数チャンネルとでテスト信号が受信された回数が同じであればブザーを長く鳴らす。
【００３３】
そして、使用者Ｕは、報知部２４の報知によりいずれの周波数チャンネルでテスト信号の送受信の成功率が最も高かったかを知り、その周波数チャンネルを優先的に使用するようにリモコン装置１の操作部１４の設定釦を操作する。具体的には例えば優先的に使用する周波数チャンネルを指定する。
【００３４】
リモコン制御部１３は、以後、検知信号が入力されたときには、設定釦に指定された周波数チャンネルが優先的に使用されるような周波数チャンネル構成で制御信号が送信されるように送信部１１を制御する。例えば、第１の周波数チャンネルＦ１が指定されたときには図８（ａ）に示すように第１の周波数チャンネルＦ１で先に制御信号Ｓ１を送信し、第２の周波数チャンネルＦ２が指定されたときには図８（ｂ）に示すように第２の周波数チャンネルＦ２で先に制御信号Ｓ２を送信するといったように、設定釦に指定された周波数チャンネルを先に使用することにより、制御信号Ｓ１，Ｓ２の送受信をより短時間で成功しやすくする。または、第１の周波数チャンネルＦ１が指定されたときには図９（ａ）に示すように第１の周波数チャンネルＦ１で制御信号Ｓ１を２回送信して第２の周波数チャンネルＦ２で制御信号Ｓ２を１回送信し、第２の周波数チャンネルＦ２が指定されたときには図９（ｂ）に示すように第２の周波数チャンネルＦ２で制御信号Ｓ２を２回送信して第１の周波数チャンネルＦ１で制御信号Ｓ１を１回送信するといったように、設定釦に指定された周波数チャンネルで制御信号Ｓ１，Ｓ２を送信する回数をより多くすることにより、制御信号Ｓ１，Ｓ２の送受信の成功率を更に向上する。なお、周波数チャンネルをどのような順序で用い、どの周波数チャンネルで制御信号Ｓ１，Ｓ２を何回送信するといった具体的な形で周波数チャンネル構成を設定釦に設定可能としてもよい。この場合、リモコン制御部１３は、設定釦に設定された周波数チャンネル構成で制御信号Ｓ１，Ｓ２を送信する。
【００３５】
上記構成によれば、状況に応じて優先的に使用する周波数チャンネルを変更することにより、制御信号Ｓ１，Ｓ２の送受信をより短時間で成功しやすくすることや、制御信号Ｓ１，Ｓ２の送受信の成功率を更に向上することができる。
【図面の簡単な説明】
【００３６】
【図１】本発明の実施形態１の動作を示す説明図であり、（ａ）は第１の周波数チャンネルで制御信号が受信された場合の動作を示し、（ｂ）は第１の周波数チャンネルで制御信号が受信されなかった場合の動作を示す。
【図２】同上を示す概略構成図である。
【図３】同上を示すブロック図である。
【図４】同上の制御信号の構成を示す説明図である。
【図５】同上の別の形態の動作を示す説明図である。
【図６】本発明の実施形態２を示すブロック図である。
【図７】同上において通信テストを行う際の動作を示す説明図であり、（ａ）〜（ｄ）はそれぞれ異なる段階を示す。
【図８】同上のリモコン装置の動作の１例を示す図であり、（ａ）（ｂ）はそれぞれ異なる周波数チャンネルを優先した状態を示す。
【図９】同上のリモコン装置の動作の別の例を示す図であり、（ａ）（ｂ）はそれぞれ異なる周波数チャンネルを優先した状態を示す。
【符号の説明】
【００３７】
１  リモコン装置
２  照明器具
１１  送信部
１２  人感センサ部
１３  リモコン制御部
１４  操作部
２０  器具本体
２１  受信部
２２  点灯部
２３  照明制御部
２４  報知部
Ｓ１〜Ｓ３  制御信号
【図１】
2006278060.tif 000003
【図２】
2006278060.tif 000004
【図３】
2006278060.tif 000005
【図４】
2006278060.tif 000006
【図５】
2006278060.tif 000007
【図６】
2006278060.tif 000008
【図７】
2006278060.tif 000009
【図８】
2006278060.tif 000010
【図９】
2006278060.tif 000011